(57)【特許請求の範囲】
【請求項１】
ドリルヘッドのスピンドルの後部に外周の等分された位置に複数の板状の支持片が立設状で固定され、この支持片の途中にＬ字状で基端から先端近くまで溝が切り込まれたインナーチャックピースの基端が前記支持片を挟持してピンによって遊嵌状態で枢着され、このピンを支点にしてスピンドル後端の切り込みに前記インナーチャックピースの先端が嵌入して内管を把持し、かつ外方へ開放可能となっており、前記インナーチャックピースの外側にはピースリテーナが締付ボルトにより回動可能に取り付けられている内管チャックと、
前記スピンドルの前部にリング状の支持金物が固着され、その外周の等分された位置に複数のチャックボルトが配設されており、このチャックボルトには、先端のねじ部に外管を把持するアウターチャックピースがねじ込まれ、このアウターチャックピースはスピンドル壁の孔から前記チャックボルトの軸心方向出入可能となっており、基端の頭部は支持金物の凹部に固定されたピースカバーに回動可能で、かつ軸心方向は固定されて取り付けられた外管チャックとを具備することを特徴とする二重管用チャック。
【発明の詳細な説明】
【０００１】
【発明の属する技術分野】
本発明は、地盤削孔機のドリルヘッドの後部及び前部（上下部）に取り付けられて内管、外管をそれぞれ把持する二重管用チャックに関するものである。
【０００２】
【従来の技術】
従来の二重管用チャックは、図４に示すようになっている。
すなわち、後部と前部に同一構造のチャックが配設されており、後部の内管チャック２は径小の内管用にチャックピース２ａがスピンドル１内に大きく突出し、前部の外管チャック３は径大の外管用にチャックピース３ａがスピンドル１内に少し突出しており、いずれも一対のリング状のリターンスプリング２ｂ，３ｂによりチャックピース２ａ，３ａが戻るように構成されており、チャックボルト２ｃ，３ｃをねじ込むことにより内、外管を把持するようになっていた。
【０００３】
【発明が解決しようとする課題】
しかるに、従来の二重管用チャックには、下記のような欠点があった。
（１）ドリルヘッド後部より外管を挿入しねじを螺合する為には、径小の内管チャックピースを取り外すか、又は、チャックピースの開閉長さが長大な内管チャックを使用しなければならないので、作業性、構造上から現実的でない。このため、図３の（ｂ）に示すようにドリルヘッド１０をストロークの最上端まで上げ、内、外を一緒に横から矢印ａのように入れて、二重管の状態でねじを螺合している。従って、例えばストロークが５００ｍｍである場合は５００ｍｍ−αの長さのロッドしか足せず、内外管とも同じ長さでなければならなかった。
【０００４】
（２）前記のごとく、二重管の状態でねじを螺合する場合、接続が複雑で手間がかかった。
【０００５】
（３）施工後に内管１７を残したまま外管１８のみ抜管することが困難であった。
【０００６】
（４）従来の内、外管チャックはリターンスプリング２ｂ，３ｂ（図４）によりチャック２，３を開くのでリターンスプリング２ｂ，３ｂの状態（ゴミ、スプリングのへたり等）によりスムーズに開かない場合があった。
【０００７】
本発明は前述した事情に鑑みてなされたもので、前記欠点を解消した二重管用チャックを提供せんとするものである。
【０００８】
前記目的を達成するため、本発明の二重管用チャックは、ドリルヘッドのスピンドルの後部に外周の等分された位置に複数の板状の支持片が立設状で固定され、この支持片の途中にＬ字状で基端から先端近くまで溝が切り込まれたインナーチャックピースの基端が前記支持片を挟持してピンによって遊嵌状態で枢着され、このピンを支点にしてスピンドル後端の切り込みに前記インナーチャックピースの先端が嵌入して内管を把持し、かつ外方へ開放可能となっており、前記インナーチャックピースの外側にはピースリテーナが締付ボルトにより回動可能に取り付けられている内管チャックと、前記スピンドルの前部にリング状の支持金物が固着され、その外周の等分された位置に複数のチャックボルトが配設されており、このチャックボルトには、先端のねじ部に外管を把持するアウターチャックピースがねじ込まれ、このアウターチャックピースはスピンドル壁の孔から前記チャックボルトの軸心方向出入可能となっており、基端の頭部は支持金物の凹部に固定されたピースカバーに回動可能で、かつ軸心方向は固定されて取り付けられた外管チャックとを具備することを特徴とする。
【０００９】
【発明の実施の形態】
以下添付図に基づいて本発明の実施の形態を詳細に説明する。
図１は本発明の一実施の形態を説明する図で、（ｂ）はドリルヘッドの縦断面を、（ａ）は（ｂ）の外管チャック側の一部切断した側面を、（ｃ）は（ｂ）の内管チャック側の一部切断した側面を示す。
スピンドル１１は、モータ１２から歯車１３，１４を経て回動するよう構成されている。
内管チャック２０について説明すると、リング状の支持金物２１がスピンドル１１の後部に止め輪２２で止められ、これと対称の位置に一対の板状の支持片２１ａが形成されている。この支持片２１ａは２個でなくても外周の等分された位置に３個以上設けられることもできる。
【００１０】
２３はインナーチャックピースで、Ｌ字状をしており、基端から先端近くまで溝２３ａが切り込まれ、基端は支持片２１ａの途中に、これを挟持した状態でピン２４止めされている。そしてピン２４が入るインナーチャックピース２３の孔はガタになって隙間があり、締付ボルト２５を締付けた際にインナーチャックピース２３が内管１７を締付ける締代となっている。
スピンドル１１の後端には切り込み１１ａがあり、インナーチャックピース２３の先端は内管（図示せず）を把持した状態（実線）では、切り込み１１ａに入っているが、矢印ｂのごとく開放された状態（鎖線）では切り込み１１ａから出て大きく開きスピンドル１１内の空間から外方へ出ている。
インナーチャックピース２３の外側にはピースリテーナ２３ｂが締付ボルト２５のまわりに回動可能となっており、図１の（ｂ）に実線で示す内管１７の締付位置から締付ボルト２５をゆるめ、ピースリテーナ２３ｂを矢印ｃに示すように９０度回転させると、ピースリテーナ２３ｂはインナーチャックピース２３の溝２３ａ内にはいるのでインナーチャックピース２３は鎖線に示すように大きく開くことができる。２６はボールプランジャで９０度回転の位置決めをするものである。
【００１１】
外管チャック３０について説明すると、スピンドル１１の前部にリング状の支持金物３１が止め輪３２を介して固着され、その外周の等分された位置に形成された凹部３１ａに一対のチャックボルト３４が配設されている。このチャックボルト３４の先端のねじ部には外管（図示せず）を保持するアウターチャックピース３３が軸心方向出入可能にねじ込まれており、アウターチャックピース３３の先端は、スピンドル１１の孔から出入するようになっている。
そして、チャックボルト３４の頭部は凹部３１ａにボルト３５ａで固定されたピースカバー３５に回動可能に取り付けられ、かつ、フランジ３５ｂとサークリップ（スピロロックス）３６とによって軸心方向には抜けないようになっている。
内管チャック２０と同様に外管チャック３０も外周の等分された位置に３個以上複数設けても良い。
【００１２】
本発明の二重管用チャックによる削孔動作を、図２に基づいて説明する。１０はドリルヘッド、１５はドリルヘッド１０を給進するガイド、１６はスイベル、１７は内管、１８は外管である。
（ａ）１ストローク削孔完了し、スイベル１６を取り出す。
（ｂ）内管１７を上方で接続する。
（ｃ）外管１８を上方からドリルヘッド１０内に挿入して接続する。この場合、後部の内管チャックは図１の鎖線のように外方に開くので外管が挿入可能である。
（ｄ）スイベル１６を取り付けて削孔を再開する。
図２において１９は削孔機の固定装置で、これによりガイド１５が保持される。
【００１３】
本発明の二重管用チャックは、図２に示すようなパワースイベル型の地盤削孔機に主に適用されるが、スピンドルタイプの地盤削孔機にも適用できる。すなわち、スピンドルの前部に本発明の外管チャックを取り付け、スイベルヘッド内のスピンドルを外方へ延長してここに本発明の内管チャックを配設すればよい。
【００１４】
【発明の効果】
以上説明した本発明によると下記のような効果を奏するものである。
（１）図３の（ａ）に示すように、本発明の二重管用チャックを使用すると、内管チャックが大きく開くのでドリルヘッドの上方から、内、外管を別々に接続でき、ドリルヘッドのストローク以上に長いロッドを接続することができる。また、内、外管の長さが同じでなくても使用可能である。
【００１５】
（２）従来のごとく二重管の状態でねじを螺合しないで、内管を先に螺合し、次に外管を螺合するので操作が簡単である。
【００１６】
（３）内管を残したままで外管のみを抜管することが簡単にできる。
【００１７】
（４）外管チャックはリターンスプリングが使用されてなくても、チャックボルトの回転により、アウターチャックピースが出入できるので、リターンスプリングのへたり、ごみ詰り等による故障が少ない。もちろん内管チャックもリターンスプリングがないので故障が少ない。
【図面の簡単な説明】
【図１】本発明の一実施の形態を示す二重管用チャックの図で、（ｂ）はドリルヘッドの縦断面を、（ａ）は（ｂ）の外管チャック側の一部切断した側面を、（ｃ）は（ｂ）の内管チャック側の一部切断した側面を示す。
【図２】本発明の二重管用ドリルチャックを装着した地盤削孔機による削孔の動作を示す説明図である。
【図３】内管、外管の接続を説明する図で、（ａ）は本発明の場合、（ｂ）は従来の場合を示す。
【図４】従来の二重管用チャックを装着したドリルヘッドの縦断面図である。
【符号の説明】
１０    ドリルヘッド
１１    スピンドル
２０    内管チャック
２１    支持金物
２１ａ  支持片
２３    インナーチャックピース
２３ａ  溝
２３ｂ  ピースリテーナ
２４    ピン
２５    締付ボルト
３０    外管チャック
３１    支持金物
３１ａ  凹部
３３    アウターチャックピース
３４    チャックボルト
３５    ピースカバー
【図１】
0004321670.tif 000002
【図２】
0004321670.tif 000003
【図３】
0004321670.tif 000004
【図４】
0004321670.tif 000005